(57)【要約】【課題】機器機能毎に利用履歴情報を提供することができる通信端末装置を提供すること目的とする。【解決手段】複数の機器機能、および、ネットワークを介して通信が可能なネットワーク通信機能を備えた通信端末装置において、前記複数の機器機能のそれぞれについて、利用履歴情報を、所定形式のセマンティックＸＭＬ文書に整形して送信するようにした。【選択図】        図１
2007148944.tif 000002
【特許請求の範囲】
【請求項１】
複数の機器機能、および、ネットワークを介して通信が可能なネットワーク通信機能を備えた通信端末装置において、
前記複数の機器機能のそれぞれについて、利用履歴情報を、所定形式のセマンティックＸＭＬ文書に整形して送信することを特徴とする通信端末装置。
【請求項２】
前記利用履歴情報には、重要度が含まれることを特徴とする請求項１記載の通信端末装置。
【請求項３】
前記利用履歴情報は、消耗品情報を含むことを特徴とする請求項１または請求項２記載の通信端末装置。
【請求項４】
前記消耗品情報は、当該消耗品を注文する発注先の連絡情報をさらに含むことを特徴とする請求項３記載の通信端末装置。
【請求項５】
前記利用履歴情報は、当該利用履歴情報に含まれるエラー情報に対処する情報を取得するためのＵＲＬをさらに含むことを特徴とする請求項１または請求項２記載の通信端末装置。
【発明の詳細な説明】
【技術分野】
【０００１】
本発明は、複数の機器機能、および、ネットワークを介して通信が可能なネットワーク通信機能を備えた通信端末装置に関する。
【背景技術】
【０００２】
従来、コピー、ファクス、スキャナー、プリンター等の複数の機能を備えた複合機は、ネットワーク接続機能を持ち、オフィスの複数の利用者によって共有して利用される形態が一般的である。
【０００３】
ネットワーク接続された複合機がＷｅｂサーバーを内蔵している場合、利用者はパソコン・ワークステーション等からＷｅｂブラウザーを用いて機器の情報を参照したり、機器の設定を変更したりすることができるようになっている。また、専用のアプリケーションソフトウェアを利用することによって、機器の情報を参照したり、機器の設定を変更したりすることができる場合もある。
【０００４】
一方、Ｗｅｂサイトなどの更新情報を配信する技術として、ＲＳＳやＡｔｏｍに代表されるいわゆるセマンティックＸＭＬ文書のデータフォーマットが広く利用されるようになってきた。これらのフォーマットに従ってＷｅｂサイトの更新情報を記述することによって、利用者は専用のリーダーソフトウェア、またはＷｅｂアプリケーションなどを使ってＷｅｂサイトの更新情報を効率よく知ることができるようになった。
【０００５】
ＲＳＳ技術をネットワーク対応機器に応用した技術として、特許文献１が知られている。この発明では、機器の画面が編集された情報をＲＳＳで配信するとしている。
【０００６】
また、特許文献２では、Ｗｅｂサイト上のギャラリーの更新情報をＲＳＳで出力するとしている。
【０００７】
さらに、Ｗｅｂサイトの更新情報を中心として、ＲＳＳおよびＡｔｏｍで更新情報を配信する技術は一般に知られている。
【０００８】
ＲＳＳやＡｔｏｍフォーマットによる更新情報の提供をサポートしているＷｅｂサイトに対しては、更新情報のみを知ることができるので、効率よく情報収集を行うことができて非常に便利である。
【特許文献１】特開２００５−２２８１０６号公報
【特許文献２】特開２００５−１９６６１３号公報
【発明の開示】
【発明が解決しようとする課題】
【０００９】
しかしながら、これらのフォーマットはネットワーク対応機器用に考えられたフォーマットでは無いので、機器の利用者にとって有益な形でデータを配信できるとは限らない。たとえば、機器が提供するアプリケーション（プリンター、スキャナー、ファクス、コピー）毎に、情報を識別して出力することは難しかった。
【００１０】
本発明は、かかる実情に鑑みてなされたものであり、機器機能毎に利用履歴情報を提供することができる通信端末装置を提供すること目的とする。
【課題を解決するための手段】
【００１１】
本発明は、複数の機器機能、および、ネットワークを介して通信が可能なネットワーク通信機能を備えた通信端末装置において、前記複数の機器機能のそれぞれについて、利用履歴情報を、所定形式のセマンティックＸＭＬ文書に整形して送信するようにしたものである。
【００１２】
また、前記利用履歴情報には、重要度が含まれるものである。
【００１３】
また、前記利用履歴情報は、消耗品情報を含むものである。
【００１４】
また、前記消耗品情報は、当該消耗品を注文する発注先の連絡情報をさらに含むものである。
【００１５】
また、前記利用履歴情報は、当該利用履歴情報に含まれるエラー情報に対処する情報を取得するためのＵＲＬをさらに含むものである。
【発明の効果】
【００１６】
したがって、本発明によれば、本装置から取得できる利用履歴情報は、本装置が備える機器機能毎にまとめられているので、当該利用履歴情報を利用する際に、非常に便利であるという効果を得る。
【発明を実施するための最良の形態】
【００１７】
以下、添付図面を参照しながら、本発明の実施の形態を詳細に説明する。
【００１８】
図１は、本発明の一実施例にかかるネットワーク対応複合機の構成例を示している。このネットワーク対応複合機は、複写機能、ネットワークファクシミリ機能、ネットワークプリンタ機能、および、スキャン・ツー・Ｅメール機能等の複数の機器機能（アプリケーション）を備えている。
【００１９】
同図において、システム制御部１は、このネットワーク対応複合機の各部の制御処理、複写機能、ネットワークファクシミリ機能、ネットワークプリンタ機能、および、スキャン・ツー・Ｅメール機能等の機器機能処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応複合機に固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このネットワーク対応複合機を操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、磁気ディスク装置９は、符号化圧縮された状態の画情報を多数記憶したり、種々のプログラムファイルやデータファイルなどを記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワーク対応複合機をアナログ公衆回線網ＰＳＴＮに接続するためのものであり、自動発着信機能を備えている。
【００２４】
ローカルエリアネットワークインターフェース回路１２は、このネットワーク対応複合機をローカルエリアネットワーク（図示略）に接続するためのものであり、ローカルエリアネットワーク伝送制御部１３は、ローカルエリアネットワークを介して、他のデータ端末装置との間で種々のデータをやりとりするための各種所定のプロトコルスイートの通信制御処理を実行するためのものである。なお、ローカルエリアネットワークは、図示しないルータ装置等を介して、グローバルネットワーク（例えば、インターネットなど）に接続されており、これにより、このネットワーク対応複合機は、グローバルネットワークに接続されている各端末装置との間で、適宜にデータ通信が可能である。
【００２５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２６】
また、網制御装置１１とグループ３ファクシミリモデム１０との間のデータのやりとりは、直接行なわれている。
【００２７】
図２は、ネットワーク対応複合機のソフトウェア的な構成の一例を示している。
【００２８】
同図において、データ制御部２１は、種々の機能制御を行うためのものであり、印刷制御部２２は、印刷機能について制御処理を行うためのものであり、スキャナ制御部２３は、画像データの読取機能についての制御処理を行うためのものであり、操作表示制御部２４は、操作表示部７を用いて行う操作表示機能についての制御処理を行うためのものである。
【００２９】
ファクシミリプロトコル処理部２５は、グループ３ファクシミリ通信手順の処理を行うためのものであり、モデム制御部２６は、グループ３ファクシミリモデム１０を制御するためのものである。
【００３０】
メール制御部２７は、電子メールの送受信機能を実現するためのものであり、ネットワーク制御部２８は、ローカルエリアネットワークを介して行う種々の伝送制御を実現するためのものであり、ネットワークドライバ２９は、ローカルエリアネットワークインタフェース回路１２の動作を制御するためのものである。
【００３１】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３２】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３３】
また、ＨＴＴＰとは、”Ｈｙｐｅｒ  Ｔｅｘｔ  Ｔｒａｎｓｆｅｒ  Ｐｒｏｔｏｃｏｌ”の略で、いわゆるＷＷＷ（Ｗｏｒｌｄ−Ｗｉｄｅ  Ｗｅｂ）を実現するためのプロトコルである。通常、ＴＣＰ上（ポート番号：８０）でやりとりされる。例えば、ＧＥＴやＰＯＳＴなどのコマンドにより、ワークステーション装置などで実行されているＷｅｂブラウザがネットワーク対応複合機のＨＴＴＰサーバに対して、処理を指定し、そのレスポンスとして、ＸＭＬ（ｅＸｔｅｎｓｉｂｌｅ  Ｍａｒｋｕｐ  Ｌａｎｇｕａｇｅ）ファイル、ＨＴＭＬ（Ｈｙｐｅｒ  Ｔｅｘｔ  Ｍａｒｋｕｐ  Ｌａｎｇｕａｇｅ）ファイル、あるいは、画像ファイルなどがＨＴＴＰサーバから送られてくる。本実施例では、後述するように、セマンティックＸＭＬ文書としてＲＳＳ情報やＡｔｏｍ情報等をクライアントに対して提供できるようにしている。
【００３４】
また、ＸＭＬは、Ｗ３Ｃ（ＷＷＷ技術の標準化団体）の勧告（Ｒｅｃｏｍｍｅｎｄａｔｉｏｎ）で定められたものであり、ＳＧＭＬ（ＩＳＯ／ＩＥＣ  ８８７９：１９８６）を簡略化してインターネット対応したものである。このＸＭＬは、ＨＴＭＬと違い、任意のタグが使用可能である。また、データと処理（レイアウト（デザイン））の分離して記述できる。
【００３５】
また、セマンティックＸＭＬ文書とは、いわゆるセマンティックＷｅｂ技術の機能を実現するためのファイル様式をＸＭＬで実現したものを指す。例えば、ＲＤＦ（Ｒｅｓｏｕｒｃｅ  Ｄｅｓｃｒｉｐｔｉｏｎ  Ｆｒａｍｅｗｏｒｋ）に準拠したものとしては、ＲＳＳ（Ｒｉｃｈ  Ｓｉｔｅ  Ｓｕｍｍａｒｙ「１．０系列」またはＲｅａｌ  Ｓｉｍｐｌｅ  Ｓｙｎｄｉｃａｔｉｏｎ「０．９−２．０系列」）がある。また、ＲＳＳと同様の機能を実現するものとしてＡｔｏｍがある。ＲＳＳについての解説は、http://kanzaki.com/docs/sw/rss.html（２００５年１１月２５日現在アクセス可能）を参照のこと。また、Ａｔｏｍについての解説は、http://www.kanzaki.com/docs/sw/atom.htmlを参照のこと（２００５年１１月２５日現在アクセス可能）。
【００３６】
図３に、利用者が機器の更新情報を要求したときの、ネットワーク対応機器（本実施例のネットワーク対応複合機）の動作を示す。
【００３７】
利用者はパソコン等のソフトウェアから、ネットワーク対応機器に対して、更新された機器情報を送信するように要求する。要求を受信したネットワーク対応機器は、利用者に応答するデータを生成する。
【００３８】
ネットワーク対応機器で動作している各アプリケーション（プリンター、スキャナー、ファクス、コピーなど）で発生したイベント、ログ、エラー情報などのうち、利用者に応答すべき情報を選別し、所定のフォーマットに従ったデータを準備する。データが完成したならば、更新情報を要求してきた利用者に対して応答を送信する。更新情報の要求と応答は、たとえばＨＴＴＰプロトコルで行うとよい。
【００３９】
図４に、機器が応答する更新情報の構造について示した。構造化されたデータを表現する手段としてＸＭＬが用いられることが多い。そのため例ではＸＭＬで構造化されたデータを模式的に示している。
【００４０】
更新情報ヘッダタグでは、機器が応答する更新情報に関する一般的な情報を含むようにする。たとえば、機器のロケーションタグには、機器が内蔵しているＷｅｂサーバ装置のＵＲＬを含むとよい。機器の説明タグには、更新情報を応答した機器に関する説明を含むようにするとよい。
【００４１】
更新情報エントリタグには、機器が管理するイベント、ログ、エラー情報などを含むようにする。更新情報エントリは複数の項目があってもよい。図では２つのエントリを例示している。更新情報の説明タグには、エントリの内容をあらわす、人間が読んで理解できる形式の情報を含むようにする。情報のカテゴリタグには、エントリ毎のカテゴリ情報を含むようにする。たとえば、プリンター、スキャナー、ファクス、コピーのようにアプリケーション毎にカテゴリ分けをすることができる。
【００４２】
図５に、機器の更新情報をＲＳＳで記述した場合の例を示す。
【００４３】
アプリケーション毎のカテゴリ情報をあらわすためにＲＳＳの拡張機能を使って、独自の名前空間を利用する場合を例示してある。他の要素は標準のＲＳＳ（例では、ＲＳＳ２．０）に従ったフォーマットである。
【００４４】
このような形式のＲＳＳデータの応答を受信した利用者は、ＲＳＳデータ処理ソフトウェアを使って、機器の更新情報を確認することができる。
【００４５】
また、独自の名前空間で定義している、アプリケーション毎のカテゴリ情報を解釈できるソフトウェアを利用すれば、更新情報の各エントリについて、どのアプリケーションの情報なのかを判別することができる。
【００４６】
図６に、機器の更新情報をＡｔｏｍで記述した場合の例を示す。
【００４７】
アプリケーション毎のカテゴリ情報をあらわすために、独自の名前空間を利用する場合を例示してある。他の要素は標準のＡｔｏｍ（例ではＡｔｏｍ  １．０）に従ったフォーマットである。
【００４８】
このような形式のＡｔｏｍデータの応答を受信した利用者は、Ａｔｏｍデータ処理ソフトウェアを使って、機器の更新情報を確認することができる。
【００４９】
独自の名前空間で定義している、アプリケーション毎のカテゴリ情報を解釈できるソフトウェアを利用すれば、更新情報の各エントリについて、どのアプリケーションの情報なのかを判別することができる。
【００５０】
図７に、情報、エラー、警告などのように情報の重要度についてカテゴリ分けしたＲＳＳデータの例を示す。
【００５１】
データの構造は、図５と同じである。名前空間に情報の重要度をあらわすタグ、この場合は、ｍｆｐａｐｐ：ｍｆｐｅｖｅｎｔを追加している。
【００５２】
このような形式のＲＳＳデータの応答を受信した利用者は、ＲＳＳデータ処理ソフトウェアを使って、機器の更新情報を確認することができる。
【００５３】
独自の名前空間で定義している、情報の重要度のタグを解釈できるソフトウェアを利用すれば、更新情報の各エントリについて、情報の重要度を判別することができる。
【００５４】
図８に、プリント枚数の情報を追加したＲＳＳデータの例を示す。
【００５５】
データの構造は、図５と同じである。名前空間にプリント枚数をあらわすタグ、この場合は、ｍｆｐａｐｐ：ｃｏｕｎｔｅｒを追加している。プリンターでドキュメントが印刷された場合、およびファクス受信で印刷がされた場合を例示している。
【００５６】
このような形式のＲＳＳデータの応答を受信した利用者は、ＲＳＳデータ処理ソフトウェアを使って、機器の更新情報を確認することができる。
【００５７】
独自の名前空間で定義している、プリント枚数のタグを解釈できるソフトウェアを利用すれば、更新情報の各エントリについて、プリント枚数を判別することができる。
【００５８】
図９に、プリント枚数と用紙サイズの情報を追加したＲＳＳデータの例を示す。
【００５９】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅを追加している。
【００６０】
それぞれ、プリント情報をあらわすタグと、用紙サイズをあらわすタグである。プリンターでドキュメントが印刷された場合、およびファクス受信で印刷がされた場合を例示している。
【００６１】
このような形式のＲＳＳデータの応答を受信した利用者は、ＲＳＳデータ処理ソフトウェアを使って、機器の更新情報を確認することができる。
【００６２】
独自の名前空間で定義している、プリント枚数および用紙サイズのタグを解釈できるソフトウェアを利用すれば、更新情報の各エントリについて、プリント枚数と用紙サイズを判別することができる。
【００６３】
図１０に、プリント枚数、用紙サイズ、印刷モードの情報を追加したＲＳＳデータの例を示す。
【００６４】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅと、ｍｆｐａｐｐ：ｃｏｌｏｒｍｏｄｅを追加している。
【００６５】
それぞれ、プリント情報をあらわすタグと、用紙サイズをあらわすタグと、印刷モード（カラーかモノクロか）をあらわすタグである。プリンターでドキュメントが印刷された場合、およびファクス受信で印刷がされた場合を例示している。
【００６６】
このような形式のＲＳＳデータの応答を受信した利用者は、ＲＳＳデータ処理ソフトウェアを使って、機器の更新情報を確認することができる。
【００６７】
独自の名前空間で定義している、プリント枚数、用紙サイズおよび印刷モードのタグを解釈できるソフトウェアを利用すれば、更新情報の各エントリについて、プリント枚数と用紙サイズと印刷モードを判別することができる。
【００６８】
図１１に、プリント枚数、用紙サイズ、印刷モード、トナーまたはインク残量の情報を追加したＲＳＳデータの例を示す。
【００６９】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅと、ｍｆｐａｐｐ：ｃｏｌｏｒｍｏｄｅ、さらに、トナーまたはインク残量の情報をあらわすタグ、この場合は、ｍｆｐａｐｐ：ｉｎｋｉｎｆｏを追加している。
【００７０】
それぞれ、プリント情報をあらわすタグと、用紙サイズをあらわすタグと、印刷モード（カラーかモノクロか）をあらわすタグ、インク残量の情報をあらわすタグである。プリンターでドキュメントが印刷された場合、およびファクス受信で印刷がされた場合を例示している。
【００７１】
このような形式のＲＳＳデータの応答を受信した利用者は、ＲＳＳデータ処理ソフトウェアを使って、機器の更新情報を確認することができる。
【００７２】
独自の名前空間で定義している、プリント枚数、用紙サイズ、印刷モード、およびトナーまたはインク残量のタグを解釈できるソフトウェアを利用すれば、更新情報の各エントリについて、プリント枚数と用紙サイズと印刷モードとトナー・インク残量を判別することができる。
【００７３】
図１２に、プリント枚数、用紙サイズ、印刷モード、トナーまたはインク残量、トナーまたはインクカートリッジのＩＤ番号の情報を追加したＲＳＳデータの例を示す。
【００７４】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅと、ｍｆｐａｐｐ：ｃｏｌｏｒｍｏｄｅ、および、トナーまたはインク残量の情報をあらわすタグ、この場合は、ｍｆｐａｐｐ：ｉｎｋｉｎｆｏ、さらに、トナーまたはインクカートリッジのＩＤ番号の情報をあらわすタグ、この場合は、ｍｆｐａｐｐ：ｃａｒｔｒｉｄｇｅｉｄをそれぞれ追加している。
【００７５】
それぞれ、プリント情報をあらわすタグと、用紙サイズをあらわすタグと、印刷モード（カラーかモノクロか）をあらわすタグ、インク残量の情報をあらわすタグ、トナーまたはインクカートリッジのＩＤ番号の情報をあらわすタグである。プリンターでドキュメントが印刷された場合、およびファクス受信で印刷がされた場合を例示している。
【００７６】
このような形式のＲＳＳデータの応答を受信した利用者は、ＲＳＳデータ処理ソフトウェアを使って、機器の更新情報を確認することができる。
【００７７】
独自の名前空間で定義している、プリント枚数、用紙サイズ、印刷モード、トナーまたはインク残量のタグ、トナーまたはインクカートリッジのＩＤ番号の情報をあらわすタグを解釈できるソフトウェアを利用すれば、更新情報の各エントリについて、プリント枚数と用紙サイズと印刷モードとトナー・インク残量とトナーまたはインクカートリッジのＩＤ番号を判別することができる。
【００７８】
図１３に、機器の更新情報を生成する処理の一部のフローチャートを示す。
【００７９】
トナーまたはインク残量の更新情報を生成する処理において、機器のトナーまたはインク残量が、設定されているしきい値以下であった場合には、トナーまたはインク残量を更新情報に含める（処理１０１、判断１０２、処理１０３）。逆に設定されている値以上の値であった場合には、トナーまたはインク残量の更新情報を出力しない。
【００８０】
図１４に、トナーまたはインク残量、トナーまたはインクカートリッジのＩＤ番号の情報を追加したＲＳＳデータの例を示す。
【００８１】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅと、ｍｆｐａｐｐ：ｃｏｌｏｒｍｏｄｅ、および、トナーまたはインク残量の情報をあらわすタグ、この場合は、ｍｆｐａｐｐ：ｉｎｋｉｎｆｏ、および、トナーまたはインクカートリッジのＩＤ番号の情報をあらわすタグ、この場合は、ｍｆｐａｐｐ：ｃａｒｔｒｉｄｇｅｉｄをそれぞれ追加している。
【００８２】
それぞれ、プリント情報をあらわすタグと、用紙サイズをあらわすタグと、印刷モード（カラーかモノクロか）をあらわすタグ、インク残量の情報をあらわすタグ、トナーまたはインクカートリッジのＩＤ番号の情報をあらわすタグである。プリンターでドキュメントが印刷された場合、およびファクス受信で印刷がされた場合を例示している。
【００８３】
トナーまたはインクカートリッジに関する情報は、印刷とファクス受信とは別のエントリで例示しており、ｌｉｎｋ要素に消耗品が発注可能なサイトのアドレスを設定する。図示しているｌｉｎｋ要素のアドレスには、カートリッジのＩＤを付加している。発注サイトではこの情報をもとに、適切なカートリッジを利用者に案内するための判別に用いるとよい。
【００８４】
このような形式のＲＳＳデータの応答を受信した利用者は、ＲＳＳデータ処理ソフトウェアを使って、機器の更新情報を確認することができる。
【００８５】
独自の名前空間で定義している、プリント枚数、用紙サイズ、印刷モード、トナーまたはインク残量のタグ、トナーまたはインクカートリッジのＩＤ番号の情報をあらわすタグを解釈できるソフトウェアを利用すれば、更新情報の各エントリについて、プリント枚数と用紙サイズと印刷モードとトナー・インク残量とトナーまたはインクカートリッジのＩＤ番号を判別することができる。
【００８６】
図１５に、ＲＳＳデータの例を示す。
【００８７】
データの構造は、図５と同じである。名前空間にプリント情報をあらわすタグ、この場合は、ｍｆｐａｐｐ：ｐｒｉｎｔｉｎｆｏと、ｍｆｐａｐｐ：ｐａｐｅｒｔｙｐｅと、ｍｆｐａｐｐ：ｃｏｌｏｒｍｏｄｅを追加している。
【００８８】
それぞれ、プリント情報をあらわすタグと、用紙サイズをあらわすタグと、印刷モード（カラーかモノクロか）をあらわすタグである。プリンターでドキュメントが印刷された場合、およびファクス受信で印刷がされた場合を例示している。
【００８９】
用紙切れに関する情報は、印刷とファクス受信とは別のエントリで例示しており、ｌｉｎｋ要素に消耗品が発注可能なサイトのアドレスを設定する。図示しているｌｉｎｋ要素のアドレスには、用紙サイズを付加している。発注サイトではこの情報をもとに、適切なサイズの用紙を利用者に案内するための判別に用いるとよい。
【００９０】
このような形式のＲＳＳデータの応答を受信した利用者は、ＲＳＳデータ処理ソフトウェアを使って、機器の更新情報を確認することができる。
【００９１】
独自の名前空間で定義している、プリント枚数、用紙サイズ、印刷モードをあらわすタグを解釈できるソフトウェアを利用すれば、更新情報の各エントリについて、プリント枚数と用紙サイズと印刷モードを判別することができる。
【００９２】
図１６に、情報、エラー、警告などのように情報の重要度についてカテゴリ分けしたＲＳＳデータの例を示す。
【００９３】
データの構造は、図５と同じである。名前空間に情報の重要度をあらわすタグ、この場合は、ｍｆｐａｐｐ：ｍｆｐｅｖｅｎｔを追加している。
【００９４】
このような形式のＲＳＳデータの応答を受信した利用者は、ＲＳＳデータ処理ソフトウェアを使って、機器の更新情報を確認することができる。
【００９５】
独自の名前空間で定義している、情報の重要度のタグを解釈できるソフトウェアを利用すれば、更新情報の各エントリについて、情報の重要度を判別することができる。
【００９６】
例でネットワークエラーとしているエントリでは、ｌｉｎｋ要素にエラーへの対処方法が記載されたサイトのアドレスを設定する。図示しているｌｉｎｋ要素のアドレスには、エラーコードを付加している。サポートサイトではこの情報をもとに、適切なエラーへの対処方法を利用者に案内するための判別に用いるとよい。
【００９７】
以上説明したように、本実施例では、機器が出力する更新情報にアプリケーションが識別可能な情報を含めることにより、機器の情報をアプリケーション毎に区別できるようにすることができる。
【００９８】
また、機器が出力する更新情報の各エントリに、情報の重要度をあらわすタグを付加することにより、利用者がエントリの重要度を判別できるようにし、重要なイベントに対して適切な処理ができるようになる。
【００９９】
また、従来機器が管理してきたログ情報を、ＲＳＳやＡｔｏｍフィードに含めることにより、Ｗｅｂブラウザーや専用のアプリケーションソフトウェアによって参照できた情報を、これらの手段を使わなくても、フィードリーダーソフトウェアを使って自動的に確認できるようになる。
【０１００】
また、フィードのエントリに、プリント枚数の情報を含めることにより、利用者がプリント枚数情報を容易に知ることができる。
【０１０１】
また、ＲＳＳやＡｔｏｍフィードのエントリに、プリント用紙サイズの情報を含めることにより、利用者がプリント用紙サイズ情報を容易に知ることができる。
【０１０２】
また、ＲＳＳやＡｔｏｍフィードのエントリに、プリントモード（カラーで印刷したかモノクロで印刷したか）の情報を含めることにより、利用者がプリントモードの情報を容易に知ることができる。
【０１０３】
また、ＲＳＳやＡｔｏｍフィードのエントリに、インクまたはトナー残量の情報を含めることにより、利用者がインクまたはトナー残量情報を容易に知ることができる。
【０１０４】
また、ＲＳＳやＡｔｏｍフィードのエントリに、インクまたはトナーカートリッジＩＤの情報を含めることにより、利用者が特定のインクまたはトナーカートリッジについての情報を容易に知ることができる。
【０１０５】
また、インクまたはトナーの残量が設定された値以下となった場合のみ、フィードのエントリに、インクまたはトナーカートリッジ残量の情報を含めることにより、より効率的に利用者がインクまたはトナーカートリッジ残量についての情報を知ることができる。
【０１０６】
また、インクまたはトナー残量の情報を含むエントリのリンク先を、消耗品が発注できるサイトへのアドレス（ＵＲＬ）とすることで、利用者がより簡単にインクまたはトナーなどの消耗品を発注できることとなる。
【０１０７】
また、用紙切れの情報を含むエントリのリンク先を、消耗品が発注できるサイトへのアドレスとすることで、利用者がより簡単に用紙を発注できることとなる。
【０１０８】
また、機器で発生したエラーの情報を含むエントリのリンク先を、エラーへの対応方法が記載されたサイトへのアドレスとすることで、利用者がより簡単にエラーに対応できることとなる。
【０１０９】
なお、上述した実施例では、図１に示した構成のネットワーク対応複合機に適用した場合について説明したが、本発明は、それ以外の構成を備える通信端末装置についても同様に適用することができる。
【図面の簡単な説明】
【０１１０】
【図１】本発明の一実施例にかかるネットワーク対応複合機の構成例を示したブロック図。
【図２】ネットワーク対応複合機のソフトウェア的な構成の一例を示したブロック図。
【図３】利用者が機器の更新情報を要求したときの、ネットワーク対応機器（本実施例のネットワーク対応複合機）の動作を示したタイムチャート。
【図４】機器が応答する更新情報の構造の一例を示した概略図。
【図５】機器の更新情報をＲＳＳで記述した場合の一例を示した概略図。
【図６】機器の更新情報をＡｔｏｍで記述した場合の一例を示した概略図。
【図７】情報、エラー、警告などのように情報の重要度についてカテゴリ分けしたＲＳＳデータの一例を示した概略図。
【図８】プリント枚数の情報を追加したＲＳＳデータの一例を示した概略図。
【図９】プリント枚数と用紙サイズの情報を追加したＲＳＳデータの一例を示した概略図。
【図１０】プリント枚数、用紙サイズ、印刷モードの情報を追加したＲＳＳデータの一例を示した概略図。
【図１１】プリント枚数、用紙サイズ、印刷モード、トナーまたはインク残量の情報を追加したＲＳＳデータの一例を示した概略図。
【図１２】プリント枚数、用紙サイズ、印刷モード、トナーまたはインク残量、トナーまたはインクカートリッジのＩＤ番号の情報を追加したＲＳＳデータの一例を示した概略図。
【図１３】機器の更新情報を生成する処理の一部を示すフローチャート。
【図１４】トナーまたはインク残量、トナーまたはインクカートリッジのＩＤ番号の情報を追加したＲＳＳデータの一例を示した概略図。
【図１５】ＲＳＳデータの他の例を示した概略図。
【図１６】情報、エラー、警告などのように情報の重要度についてカテゴリ分けしたＲＳＳデータの一例を示した概略図。
【符号の説明】
【０１１１】
１  システム制御部
２  システムメモリ
３  パラメータメモリ
【図１】
2007148944.tif 000003
【図２】
2007148944.tif 000004
【図３】
2007148944.tif 000005
【図４】
2007148944.tif 000006
【図５】
2007148944.tif 000007
【図６】
2007148944.tif 000008
【図７】
2007148944.tif 000009
【図８】
2007148944.tif 000010
【図９】
2007148944.tif 000011
【図１０】
2007148944.tif 000012
【図１１】
2007148944.tif 000013
【図１２】
2007148944.tif 000014
【図１３】
2007148944.tif 000015
【図１４】
2007148944.tif 000016
【図１５】
2007148944.tif 000017
【図１６】
2007148944.tif 000018